(57)【要約】【課題】溢水を防止することのできるドラム式洗濯機を提供する。【解決手段】横設される水槽４内に回転するドラム５を配したドラム式洗濯機において、洗剤３８が収納された洗剤ケース３７を装着する開口部１４ｄと洗剤３８を含む洗濯水を流通させて洗剤を拡散する拡散通路１４ｅとを有して給水に洗剤を混合する洗剤混合部１４と、洗剤混合部１４に接続して水槽４に上方から給水する給水ダクト１５と、洗剤混合部１４に接続して外部に排水する排水手段３３とを設け、通常運転時に拡散通路１４ｅを流通する洗濯水の最高水位３１よりも上方で開口部１４ｄの下端面３２よりも下方に排水ダクト３３の接続口１４ｆを設けた。ｓ【選択図】      図８
2004194716.tif 000002
【特許請求の範囲】
【請求項１】
横設される水槽内に回転するドラムを配したドラム式洗濯機において、給水に洗剤を混合する洗剤混合部と、前記洗剤混合部に接続して前記水槽に上方から給水する給水ダクトと、前記洗剤混合部に接続して外部に排水する排水手段とを設けたことを特徴とするドラム式洗濯機。
【請求項２】
前記洗剤混合部は、洗剤が収納された洗剤ケースを装着する開口部と、洗剤を含む洗濯水を流通させて洗剤を拡散する拡散通路とを有することを特徴とする請求項１に記載のドラム式洗濯機。
【請求項３】
通常運転時に前記拡散通路を流通する洗濯水の最高水位よりも上方で前記開口部の下端面よりも下方に前記排水ダクトの接続口を設けたことを特徴とする請求項２に記載のドラム式洗濯機。
【請求項４】
前記排水ダクトの接続口の周囲に前記拡散通路の下面から突設するリブを設けたことを特徴とする請求項２に記載のドラム式洗濯機。
【請求項５】
前記洗濯混合部を流通する洗濯水が所定の水量になると開く開閉弁を前記排水手段の接続口に設けたことを特徴とする請求項１〜請求項４のいずれかに記載のドラム式洗濯機。
【請求項６】
前記開閉弁は前記洗濯混合部を流通する洗濯水により浮上するフロートの浮力により開閉することを特徴とする請求項５に記載のドラム式洗濯機。
【請求項７】
横設される水槽内に回転するドラムを配したドラム式洗濯機において、給水に洗剤を混合する洗剤混合部と、前記洗剤混合部に接続して前記水槽に上方から給水する給水ダクトと、前記給水ダクトから上方に分岐して外部に排水する排水手段とを設けたことを特徴とするドラム式洗濯機。
【請求項８】
前記洗剤混合部は洗剤を含む洗濯水を流通させて洗剤を拡散する拡散通路を有し、通常運転時に前記拡散通路を流通する洗濯水の最高水位よりも上方に前記排水手段を配したことを特徴とする請求項７に記載のドラム式洗濯機。
【発明の詳細な説明】
【０００１】
【発明の属する技術分野】
本発明は回転するドラムが横設されるドラム式洗濯機に関し、特に、給水により洗剤を供給できるドラム式洗濯機に関する。
【０００２】
【従来の技術】
回転するドラムを有する従来のドラム式洗濯機は特許文献１に開示されており、洗い工程、すすぎ工程、脱水工程及び乾燥工程を連続して行うようになっている。このドラム式洗濯機は軸方向が略水平方向に横設される有底筒状の水槽が弾性支持され、周面に小孔を有するドラムが水槽内に回転可能に配されている。水槽の上方には洗剤を収容して給水管からの給水により洗剤を溶かして洗濯水に混合する洗剤混合部が設けられている。
【０００３】
水槽には洗剤混合部に接続された給水ダクトを介して上方から洗剤を含む洗濯水が給水される。これにより、ドラム内に収容された洗濯物に直接洗剤を含む洗濯水が注水され、洗剤を洗濯物に浸透させて高い洗浄力を得ることができる。そして、所定量の洗濯水が水槽内に貯溜されるとドラムの回転により洗濯物が攪拌され、洗い工程が行われる。
【０００４】
【特許文献１】
特開２００１−２２４８９４号公報（第３頁−第４頁、第２図）
【０００５】
【発明が解決しようとする課題】
しかしながら、上記特許文献１に開示されたドラム式洗濯機によると、洗剤混合部で洗剤が洗濯水に充分に拡散されていないと給水ダクトが洗剤により詰まる場合がある。洗剤混合部は通常洗剤を収納した洗剤ケースが装着されるため、給水ダクトが詰まると洗剤ケースと洗剤ケース装着用の開口部との隙間から給水時に溢水する問題があった。
【０００６】
本発明は、溢水を防止することのできるドラム式洗濯機を提供することを目的とする。
【０００７】
【課題を解決するための手段】
上記目的を達成するために本発明は、横設される水槽内に回転するドラムを配したドラム式洗濯機において、給水に洗剤を混合する洗剤混合部と、前記洗剤混合部に接続して前記水槽に上方から給水する給水ダクトと、前記洗剤混合部に接続して外部に排水する排水手段とを設けたことを特徴としている。
【０００８】
この構成によると、ドラム式洗濯機の運転を開始すると、洗剤を配した洗剤混合部に給水され、洗剤を含む洗濯水が給水ダクトを介して上方から水槽内に供給される。これにより、ドラム内の洗濯物に洗剤を浸透させて洗い工程が行われる。洗剤等により給水ダクトが詰まると、洗剤混合部に溜まる洗濯水が排水手段を介して外部に排水される。
【０００９】
また本発明は、上記構成のドラム式洗濯機において、前記洗剤混合部は、洗剤が収納された洗剤ケースを装着する開口部と、洗剤を含む洗濯水を流通させて洗剤を拡散する拡散通路とを有することを特徴としている。この構成によると、例えばシート状の洗剤が収納された洗剤ケースが開口部に装着され、洗剤ケースに洗濯水が給水されると洗剤が溶けて洗剤ケースから拡散経路に流入する。洗濯水は拡散経路を流通する間に洗剤が拡散され、給水ダクトを介して水槽に給水される。
【００１０】
通常運転時に拡散通路を流通する洗濯水の最高水位よりも上方で開口部の下端面よりも下方に排水手段の接続口を設けると、通常運転時の排水手段からの漏水を防止することができる。また、排水手段の接続口の周囲に拡散通路の下面から突設するリブを設けてもよく、洗濯混合部を流通する洗濯水が所定の水量になると開く開閉弁を排水手段の接続口に設けてもよい。この時、開閉弁は洗濯混合部を流通する洗濯水により浮上するフロートの浮力により容易に開閉させることができる。
【００１１】
また本発明は、横設される水槽内に回転するドラムを配したドラム式洗濯機において、給水に洗剤を混合する洗剤混合部と、前記洗剤混合部に接続して前記水槽に上方から給水する給水ダクトと、前記給水ダクトから上方に分岐して外部に排水する排水手段とを設けたことを特徴としている。
【００１２】
また、洗剤混合部は洗剤を含む洗濯水を流通させて洗剤を拡散する拡散通路を有し、通常運転時に前記拡散通路を流通する洗濯水の最高水位よりも上方に前記排水手段を配すると、通常運転時の排水手段からの漏水を防止することができる。
【００１３】
【発明の実施の形態】
以下に本発明の実施形態を図面を参照して説明する。図１は第１実施形態のドラム式洗濯機を示す外観斜視図である。ドラム式洗濯機の外壁を形成する外箱１は前面がドア３で開閉できるようになっている。外箱１の前面上部には操作キーや表示部を備えた操作パネル１１が設けられている。操作パネル１１の裏面にはドラム式洗濯機の動作を制御する制御装置２（図２参照）が配されている。
【００１４】
図２、図３はそれぞれドラム式洗濯機の側面断面図及び正面断面図を示している。外箱１内は前面に開口部４ａを有する有底筒状の水槽４が横設されている。水槽４は防振機構２８により振動可能に懸架され、水槽４内には有底筒状のドラム５が配されている。
【００１５】
水槽４の背面にはモータケース９ａを介してベアリング６０が一体化されている。ドラム５に固定される軸部５ｅがベアリング５０に支持され、ドラム５が回転自在になっている。軸部５ｅにはロータ９ｂが固着され、モータケース９ａ内にはステータ９ｃが固定されている。これにより、ドラム５を回転駆動する駆動機構９が構成されている。
【００１６】
ドラム５の周壁には多数の小孔５ａが設けられている。小孔５ａにより洗濯時に水槽４とドラム５との間を洗濯水が流出入できるようになっている。ドラム５の内壁面には複数のバッフル５ｂが突出して設けられ、ドラム５の回転により洗濯物を引っかけて持ち上げ、洗濯水中に落下させることにより洗浄が行われるようになっている。
【００１７】
ドラム５の前面の開口部５ｃの外周縁には流体バランサー５ｄが設けられている。流体バランサー５ｄは塩水等の流体が封入されており、ドラム５の回転時に該流体が移動して洗濯物及び洗濯水の片寄りによる重心移動を打消す。流体バランサー５ｄをドラム５の内周縁に設けてもよい。
【００１８】
ドラム５の回転軸心ｙ−ｙは、水平方向に対して角度θだけドラム５の奥が下がるように傾斜している。これにより、使用者がドラム式洗濯機の前面側に立って操作する際に見下ろしてドラム５の奥まで見通しが良くなるようにしている。
【００１９】
洗濯物投入口１ａと水槽４の開口部４ａの周縁にはゴムや軟質樹脂等の弾性体から成るドアパッキン１０が洗濯物を出し入れする通路を形成するように取り付けられている。ドアパッキン１０はドア３を閉じたときに内周縁１０ａがドア３の周縁に密着して通路を閉口する構造になっている。これにより、洗濯動作中の防水が行われている。また、ドアパッキン１０には蛇腹等が設けられ、水槽４の振動に応じて撓みを生じて追従するようになっている。
【００２０】
外箱１内の上部には水道管に接続された給水パイプ１２が配されている。給水パイプ１２は給水弁１３を介して洗剤混合部１４に接続されている。図６、図７は洗剤混合部１４を示す側面断面図及び正面断面図である。洗剤混合部１４には前面に向かって開口する開口部１４ｄが形成されている。開口部１４ｄには前面から例えばシート状の洗剤３８を収納する洗剤ケース３７が着脱可能になっている。
【００２１】
開口部１４ｄの上方には取水口１４ａから取り入れた水を洗剤ケース３７上に散水する散水部１４ｂが設けられる。洗剤ケース３７の上面３７ａは通水性を有しており、散水部１４ｂから散水された水により洗剤３８が溶解される。そして、洗剤ケース３７の後部に設けられた流出口３７ｂから洗剤を含む洗濯水が流下するようになっている。
【００２２】
洗剤混合部１４の下部には流出口１４ｄに面して開口した拡散通路１４ｅが設けられる。洗濯水は拡散通路１４ｅを流通して洗剤が拡散されるようになっている。拡散通路１４ｅの下面には給水口１４ｃ及び排水口１４ｆが設けられる。給水口１４ｃには給水ダクト１５が接続され、排水口１４ｆには溢水ホース（排水手段）３３が接続されている。
【００２３】
洗剤が拡散した洗濯水は給水ダクト１５によって水槽４の上部から給水される。これにより、ドラム５内に収容された洗濯物に直接洗剤を含む洗濯水を注いで洗剤を浸透させることができるようになっている。また、溢水ホース３３は後述する排水管１６ｂに接続され、溢水ホース３３を流通する洗濯水を外部に排水可能になっている。
【００２４】
排水口１４ｆの周囲には、通常運転時に拡散通路１４ｅを流通する洗濯水の最高水位３１（図中、破線で示す）よりも高いリブ１４ｇが突設されている。拡散通路１４ｅ内の洗濯水が最高水位３１よりも水位が上昇すると洗濯水が溢水ホース３３を介して外部に排水される。これにより、給水ダクト１５に洗剤等が詰まった際に開口部１４ｄの下端面３２（図中、破線で示す）よりも水位が上昇して、矢印Ａに示すように開口部１４ｄから前面側に溢水することを防止できる。
【００２５】
図２、図３において、水槽４の底面より導出された排水ダクト１６ａには糸屑フィルタ１７ａを内設した接続ケース１７が接続されている。接続ケース１７には経路途中に排水弁１８を有して外部に連通する排水管１６ｂが接続されている。これにより、排水部１６が構成され、排水弁１８の開成によって水槽４内の洗濯水を外箱１の外部に排水する。
【００２６】
糸屑フィルタ１７ａは接続ケース１７内に着脱自在に装着され、外箱１の前面下部から取り外すことができる。接続ケース１７の上部にはエアートラップ２２から導圧パイプ２１を介して水位センサー２３が設けられている。水位センサー２３は、エアートラップ２２内の圧力変化に応じて磁性体をコイル内で移動させる。その結果生じるコイルのインダクタンス変化を発振周波数の変化として検出し、水槽４内の水位を検知するようになっている。
【００２７】
図２と異なる側面の断面図を図４に示すと、水槽４の上方には送風ファン２５と乾燥ヒータ２６から成る乾燥ユニット２４が設けられている。乾燥ユニット２４は水槽４の開口部４ａに臨む吹出口４ｂと下部に設けられた循環口４ｄとを連結する冷却ダクト８の経路途中に配されている。送風ファン２５の駆動によって水槽４及び冷却ダクト８に温風が循環する。
【００２８】
また、冷却ダクト８には給水弁１３の切り替えによってノズル１３ｂから市水が供給されるようになっている。これにより、冷却ダクト８を循環する温風が冷却され、水分が凝縮して除湿される。
【００２９】
上記構成のドラム式洗濯機において、洗濯物投入口１ａより洗濯物を投入してドア３を閉じると、ドア３の周縁にドアパッキン１０の内周縁１０ａが密着して水槽４が封止される。そして、洗剤ケース３７に洗剤３８を入れて操作パネル１１を操作すると、制御装置２からの指令により洗濯動作が開始され、図５に示す運転チャートが実行される。
【００３０】
まず、「洗い工程」の給水動作では、ドア３がロックされるとともに給水弁１３が開成する。給水弁１３の開成により市水が給水管１２を流通し、洗剤ケース３７を経由して給水ダクト１５から洗剤を含んだ洗濯水が水槽４及びドラム５内に流れ込む。水槽４内の水位が所定水位に達すると、水位センサー２３の検知により給水弁１３が閉じられ、駆動機構９が駆動される。駆動機構９によってドラム５が洗いチャートにより回転制御され、所定時間洗い動作が行われる。
【００３１】
ドラム５の回転は、洗い、すすぎ、脱水及び乾燥工程、或いは洗濯物の種類に応じた回転速度、更には反転時間や反転周期等を変えた回転チャートが設定されており、使用者による選択或いは自動的に選択されるようにプログラムされている。
【００３２】
「洗い工程」が終了すると、すすぎ脱水動作と攪拌すすぎ動作を交互に複数回繰り返す「すすぎ工程」に移行する。「すすぎ工程」では、排水弁１８が開いて排水部１６を介して洗濯水を外箱１の外部に排水する排水動作が行われる。
【００３３】
排水動作が終了すると、ドラム５は第１の脱水チャートで回転して、すすぎ脱水動作が行われる。洗濯物の洗濯水は脱水回転による遠心力でドラム５の周壁に設けた小孔５ａを通じて水槽４の内壁へ吐出される。該内壁を伝って水槽４内の下部に流下した洗濯水は排水部１６により外部に排水される。
【００３４】
このすすぎ脱水動作中に、給水弁１３を開いて給水ダクト１５から水槽４内に市水を噴射してもよい。このようにすると、市水は遠心力により洗濯物を透過して、洗濯物に残った洗剤を効率良く除去することができる。第１の脱水チャートは、ドラム回転を途中で休止したり、回転速度を変えたりして洗剤を多く含んだ洗濯水の脱水に適したチャートになっている。
【００３５】
すすぎ脱水動作が終了すると、排水弁１８を閉じて給水弁１３を再度開き、給水動作が行われる。給水弁１３の開成に伴って水槽４内の水位が所定水位になると給水弁１３が閉じられ、駆動機構９の駆動によりドラム５がすすぎチャートで回転し、攪拌すすぎ動作が実行される。
【００３６】
以上のすすぎ脱水動作と攪拌すすぎ動作とを数回繰り返して「すすぎ工程」が終了すると、「脱水工程」に移行する。「脱水工程」では、給水弁１３を閉じるとともに排水弁１８を開いて洗濯水を外部に排水する排水動作が行われる。
【００３７】
そして、ドラム５を第２の脱水チャートで回転させて仕上げ脱水動作が行われる。仕上げ脱水動作では、洗濯水が脱水回転による遠心力でドラム５の周壁に設けた小孔５ａを通じて水槽４の内壁へ吐出する。その後、洗濯水が水槽４の内壁を下部に流下し、排水部１６により外部に排水される。
【００３８】
「脱水工程」が終了すると、ドラム５を乾燥チャートで回転するとともに送風ファン２５及び乾燥ヒータ２６を駆動して「乾燥工程」を実行する。ドラム５内の空気はドラム５の小孔５ａ、水槽４の循環口４ｄ、冷却ダクト８を経て送風ファン２５、乾燥ヒータ２６を通り、吹出口４ｂよりドラム５内へ循環する。
【００３９】
ドラム５内の洗濯物の水分を吸収した空気は、送風ファン２５の駆動により冷却ダクト８内に吸引される。冷却ダクト８で冷水と接触するときの熱交換によって洗濯物に含まれた水分が凝縮する。冷却された乾燥空気は乾燥ヒータ２６で再加熱されて吹出口４ｂから水槽４内に送出される。乾燥空気は再び洗濯物と接触して水分を吸収し、循環口４ｄから冷却ダクト８内へ吸引される。この動作を繰り返すことにより、乾燥工程が実行される。
【００４０】
ドラム５内の湿度や温度を湿度センサー或いは温度センサー（いずれも不図示）で検知し、検知結果が所定値になると乾燥工程を終了する。この乾燥工程において除湿により凝縮された水分は、冷却ダクト８内を流下して循環口４ｄから排水部１６を介して外部に排水される。
【００４１】
以上のように、操作パネル１１からの入力に基づいて、制御装置２が設定された条件に従って洗い、すすぎ、脱水、乾燥の各工程が連続或いは単独で実行される。
【００４２】
本実施形態によると、洗濯混合部１４に溢水ホース３３が接続されるので、水槽４に上方から給水する給水ダクト１５が詰まっても洗剤混合部１４からの溢水を容易に防止することができる。また、溢水ホース３３を接続する排水口１４ｆの周囲にリブ１４ｇを設けたので、通常運転時に溢水ホース３３から排水されず、洗濯水の無駄を防止することができる。
【００４３】
次に、図８は第２実施形態の洗濯混合部１４を示す正面断面図である。同図において前述の図１〜図７に示す第１実施形態と同様の部分には同一の符号を付している。本実施形態は第１実施形態と洗濯混合部１４の構成が異なっており、その他の構成は第１実施形態と同一である。
【００４４】
図８において、洗濯混合部１４の排水口１４ｆは通常運転時に拡散通路１４ｅを流通する洗濯水の最高水位３１よりも上方で、開口部１４ｄの下端面３２よりも下方に排水口１４ｆが設けられている。これにより、通常運転時に溢水ホース３３から排水されず、洗濯水の無駄を防止することができ、第１実施形態と同様の効果を得ることができる。
【００４５】
次に、図９は第３実施形態の洗濯混合部１４を示す正面断面図である。同図において前述の図８に示す第２実施形態と同様の部分には同一の符号を付している。第２実施形態と異なる点は、排水口１４ｆに洗濯水が所定水位に達すると開く開閉弁３５を設けている。開閉弁３５は拡散通路１４ｅを流通する洗濯水の重量や水位の検知結果等により開閉することができる。その他の構成は第２実施形態と同一である。
【００４６】
本実施形態によると、拡散通路１４ｅに所定量の洗濯水が溜まると開閉弁３５が開いて溢水ホース３３から排水される。開閉弁３５は洗濯水の重量により開くようにしてもよく、洗濯水の水位を検知する水位センサを設けてもよい。このため、通常運転時の溢水ホース３３からの漏水をより確実に防止できる。また、給水ダクト１５の流通抵抗が若干大きくなっても溢水ホース３３から排水されずに水槽４に給水される。従って、洗濯水の無駄をより防止することができる。
【００４７】
次に、図１０は第４実施形態の洗濯混合部１４を示す正面断面図である。同図において前述の図１〜図７に示す第１実施形態と同様の部分には同一の符号を付している。本実施形態は開閉弁４０が排水口１４ｆに設けられるとともに、拡散通路１４ｅを流通する洗濯水により浮上するフロート３６が開閉弁４０に接続されている。その他の構成は第１実施形態と同一である。
【００４８】
本実施形態によると、拡散通路１４ｅに所定量の洗濯水が溜まるとフロート３６が浮上し、開閉弁４０が開いて溢水ホース３３から排水される。このため、通常運転時の溢水ホース３３からの溢水をより確実に防止できる。また、給水ダクト１５の流通抵抗が若干大きくなっても溢水ホース３３から排水されずに水槽４に給水される。従って、洗濯水の無駄をより防止することができる。
【００４９】
次に、図１１は第５実施形態の洗濯混合部１４を示す正面断面図である。同図において前述の図１〜図７に示す第１実施形態と同様の部分には同一の符号を付している。本実施形態は洗濯混合部１４には排水口１４ｆ（図６、図７参照）が設けられず、溢水ホース３３は給水ダクト５から上方に分岐して設けられている。その他の構成は第１実施形態と同一である。
【００５０】
給水ダクト５から分岐する溢水ホース３３の一部は屈曲され、通常運転時に拡散通路１４ｅを流通する洗濯水の最高水位３１よりも上方に配されている。このため、拡散通路１４ｅを流通する洗濯水が通常運転時の最高水位３１よりも水位が上昇すると溢水ホース３３を介して外部に排水される。従って、第１実施形態と同様の効果を得ることができる。
【００５１】
尚、溢水ホース３３が拡散通路１４ｅを流通する洗濯水の最高水位３１よりも下方であってもよい。即ち、溢水ホース３３が給水ダクト５よりも上方に分岐していれば給水ダクト５を流通する洗濯水が溢水ホース３３に流入しにくくなり、洗濯水の無駄を防止することができる。
【００５２】
【発明の効果】
本発明によると、洗濯混合部に排水手段が接続されるので、水槽に上方から給水する経路が詰まっても洗剤混合部からの溢水を容易に防止することができる。また、排水手段を接続する接続口は通常運転時に拡散通路を流通する洗濯水の最高水位よりも上方で、開口部の下端面よりも下方に設けられるので、通常運転時に排水手段から排水されず、洗濯水の無駄を防止することができる。また、排水手段を接続する接続口の周囲にリブを設けたので、通常運転時に排水手段から排水されず、洗濯水の無駄を防止することができる。
【００５３】
また本発明によると、排水手段を接続する接続口に開閉弁を設けたので通常運転時の排水手段からの漏水をより確実に防止できる。
【００５４】
また本発明によると、洗濯混合部に接続される給水ダクトから分岐する排水手段が給水ダクトよりも上方に配されるので、給水ダクトを流通する洗濯水が排水手段に流入しにくくなり洗濯水の無駄を防止することができる。
【図面の簡単な説明】
【図１】は、本発明の第１実施形態のドラム式洗濯機を示す外観斜視図である。
【図２】は、本発明の第１実施形態のドラム式洗濯機を示す側面断面図である。
【図３】は、本発明の第１実施形態のドラム式洗濯機を示す正面断面図である。
【図４】は、本発明の第１実施形態のドラム式洗濯機の他の断面を示す側面断面図である。
【図５】は、本発明の第１実施形態のドラム式洗濯機の動作を示す運転チャートである。
【図６】は、本発明の第１実施形態のドラム式洗濯機の洗剤混合部を示す側面断面図である。
【図７】は、本発明の第１実施形態のドラム式洗濯機の洗剤混合部を示す正面断面図である。
【図８】は、本発明の第２実施形態のドラム式洗濯機の洗剤混合部を示す正面断面図である。
【図９】は、本発明の第３実施形態のドラム式洗濯機の洗剤混合部を示す正面断面図である。
【図１０】は、本発明の第４実施形態のドラム式洗濯機の洗剤混合部を示す正面断面図である。
【図１１】は、本発明の第５実施形態のドラム式洗濯機の洗剤混合部を示す正面断面図である。
【符号の説明】
１    外箱
２    制御装置
３    ドア
４    水槽
５    ドラム
８    冷却ダクト
９    駆動機構
１０    ドアパッキン
１２    給水パイプ
１３    給水弁
１４    洗剤混合部
１４ａ  取水口
１４ｂ  散水部
１４ｃ  給水口
１４ｄ  開口部
１４ｅ  拡散通路
１４ｆ  リブ
１５    給水ダクト
１６    排水部
１７    フィルターケース
１８    排水弁
２３    水位センサー
２４    乾燥ユニット
２５    送風ファン
２６    乾燥ヒータ
３１    最高水位
３２    下端面
３３    溢水ホース
３５、４０    開閉弁
３６    フロート
３７    洗剤ケース
３８    洗剤
【図１】
2004194716.tif 000003
【図２】
2004194716.tif 000004
【図３】
2004194716.tif 000005
【図４】
2004194716.tif 000006
【図５】
2004194716.tif 000007
【図６】
2004194716.tif 000008
【図７】
2004194716.tif 000009
【図８】
2004194716.tif 000010
【図９】
2004194716.tif 000011
【図１０】
2004194716.tif 000012
【図１１】
2004194716.tif 000013